(57)【要約】      【課題】  従来、この種の大型の展示用パネルは、長期間の展示では組立に時間や人手がかかってもさほど問題がないものの、頻繁に展示場所を変更する場合はその都度移動や組立に手間暇と人手がかかって厄介なものであった。      【解決手段】  本発明は、複数組のパネル枠体１をヒンジ部３を介装して接続した大型の展示用パネルであって、ヒンジ部３の枢動軸と直交した桟体２に内側に鍔辺４ａを突出させた摺動用凹溝４を形成し、摺動用凹溝４に摺動杆５を内装すると共に、複数組のパネル枠体１の隣り合う桟体２の摺動用凹溝４に摺動杆５を位置させて固定した、更に、桟体２の摺動用凹溝４に摺動可能に吊り下げ用具６の基部６ａに延設したフック部６ｂを突出させ、更には、摺動可能に展示用具７の基部７ａに延設した展示用クリップ部７ｂを摺動用凹溝４の開口から突出させた。      【選択図】      図１
2007037754.tif 000002
【特許請求の範囲】
【請求項１】
夫々４本の桟体で矩形状に組設された複数組のパネル枠体を夫々ヒンジ部を介装してつづら折り可能に接続した大型の展示用パネルであって、前記夫々のヒンジ部の枢動軸と直交した夫々の相対する桟体の外側辺の長手方向の全長にわたって両側の内側に鍔辺を突出させた摺動用凹溝を夫々形成し、該摺動用凹溝に摺動自在に摺動杆を内装すると共に、展開状態の複数組のパネル枠体の隣り合う桟体の夫々の前記摺動用凹溝に前記摺動杆を位置させて固定することを特徴とする大型展示用パネル。
【請求項２】
前記桟体の摺動用凹溝に摺動可能に吊り下げ用具の基部を内装させ、該基部に延設したフック部を摺動用凹溝の開口から突出させたことを特徴とする請求項１に記載の大型展示用パネル。
【請求項３】
前記桟体の摺動用凹溝に摺動可能に展示用具の基部を内装させ、該基部に延設した展示用クリップ部を摺動用凹溝の開口から突出させたことを特徴とする請求項１又は請求項２に記載の大型展示用パネル。
【発明の詳細な説明】
【技術分野】
【０００１】
本発明は大型の展示用パネルに関するものであり、更に、詳細には、ヒンジ部を介して接続されつづら折り可能な複数組の展示用パネルを一人でも容易に組立、展示、又は、折り畳み移動、収納できる大型展示用パネルに関するものである。
【背景技術】
【０００２】
従来、この種の大型の展示用パネルは、長期間の展示では組立に時間や人手がかかってもさほど問題がないものの、頻繁に展示場所を変更する場合はその都度移動や組立に手間暇と人手がかかって厄介なものであった。
【０００３】
その為に、例えば、先に開示されている、一つのユニットで各種サイズの展示物に容易に対応することができ、しかも繰り返し長期間の使用に耐えることのできる自在展示ユニット及びこれに用いる展示物固定具を得るものとして、基台上に立設し平行する左右２本の鉛直バーに上下左右４個のブラケットを螺着し、鉛直バーに交差して設けた平行する上下２本の水平バーをブラケットに固着し、左右の上ブラケットから鉛直バー頂部に設けた滑車を介して左右の下ブラケットに連結する線材を設けて水平バーの一方の上下動に連動して他方を反対方向に上下動可能としている自在展示ユニット（特許文献１参照）や、保管に制約を与えることなく大きな表面積を確保するための、展示板１０を構成する展示板本体２の上端に小展示板４を蝶番を介して回動自在に連結し、展示板本体２の左右端面の上端部および折り畳み状態の小展示板４の左右端面の上端部にそれぞれスライドレール５１，５２を固定する。そして、これらのスライドレール５１，５２に摺動自在に嵌挿されたスライド金具５３を両スライドレール５１，５２にわたって位置させ、スライド金具５３に設けた固定ピン５４を小展示板４のスライドレール５２に形成した小穴５２ｘに嵌入させ、展示板本体２に連続して小展示板４を起立状態に保持するもの（特許文献２参照）や、作成、組立作業を容易かつ効率的なものとし、材料の再使用を繰り返し行うことができる看板を提供するものとして、装飾面を有する平板を備えた複数のパネルを所定形状に配列し、複数のパネルのうち、少なくとも一対の隣接するパネルには、互いのパネルを固定し着脱自在に連結する連結機構を備える。パネルの平面上には剥離層を設けるもの（特許文献３参照）等が開示されている。
【特許文献１】特開平６−３１８０４４号公報
【特許文献２】特開平１１−２９６１１９号公報
【特許文献３】特開２００２−３２０４３号公報
【発明の開示】
【発明が解決しようとする課題】
【０００４】
然し乍ら、先に開示された特許文献１のものは、一つのユニットで各種サイズの展示物に容易に対応することができるものであるが、基台上に立設した左右の鉛直バーに４個のブラケットを螺着し、鉛直バーに交差して設けた２本の水平バーをブラケットに固着し、左右の上ブラケットから鉛直バー頂部に設けた滑車を介してブラケットに連結する線材を設けて水平バーの一方の上下動に連動して他方を反対方向に上下動可能としている自在展示ユニットであるが、構造が複雑で組立に時間や人手がかかり頻繁に移動させる展示用パネルとして不適当なものである。
【０００５】
更に、特許文献２に記載のものでは、展示板１０を構成する展示板本体２の上端に小展示板４を蝶番を介して回動自在に連結し、展示板本体２の左右端面の上端部および折り畳み状態の小展示板４の左右端面の上端部にそれぞれスライドレール５１，５２を固定して、スライドレール５１，５２に摺動自在に嵌挿されたスライド金具５３を両スライドレール５１，５２にわたって位置させ、スライド金具５３に設けた固定ピン５４を小展示板４のスライドレール５２に形成した小穴５２ｘに嵌入させ、展示板本体２に連続して小展示板４を起立状態に保持するものであるが、この場合、上下方向に小展示板４が展開できるだけであり、且つ、大型の展示用パネルでは一人で組立をするのは困難が伴うものである。
【０００６】
更には、特許文献３では、装飾面を有する平板を備えた複数のパネルを所定形状に配列し、複数のパネルのうち、少なくとも一対の隣接するパネルには、互いのパネルを固定し着脱自在に連結する連結機構を備えるものであり、図３に図示されているようにつづら折りにも成り、且つ、図６に図示されたコ字状の固定具６０で外枠３４ａ．３５ａを固定するものであるが、固定具６０がパネルと別部材と成っており、コ字状の固定具６０を用いて組み立てるには人手が必要で、手間暇かかる作業となるものである。
【課題を解決するための手段】
【０００７】
本発明の大型展示用パネルは、前述の課題に鑑み、鋭意研鑽の結果、夫々４本の桟体で矩形状に組設された複数組のパネル枠体を夫々ヒンジ部を介装してつづら折り可能に接続した大型の展示用パネルであって、ヒンジ部の枢動軸と直交した相対する桟体の外側辺の長手方向の全長にわたって両側の内側に鍔辺を突出させた摺動用凹溝を夫々形成し、摺動用凹溝に摺動自在に摺動杆を内装すると共に、展開状態の複数組のパネル枠体の隣り合う桟体の摺動用凹溝に摺動杆を位置させて固定するものであり、更に、桟体の摺動用凹溝に摺動可能に吊り下げ用具を内装させ、基部に延設したフック部を摺動用凹溝の開口から突出させたものであり、更には、桟体の摺動用凹溝に摺動可能に展示用具を内装させ、基部に延設した展示用クリップ部を摺動用凹溝の開口から突出させたものである。
【発明の効果】
【０００８】
本発明の大型展示用パネルは、複数組のパネル枠体を夫々ヒンジ部を介装しており、つづら折りにコンパクトにして収納又は移送するもので、その組立は地面に載置した状態でヒンジ部を枢動させて平面状に延ばして隣り合う桟体を直線状にし、桟体の摺動用凹溝に内装した摺動杆を摺動させて、隣り合う桟体の摺動用凹溝に跨って位置させ固定するだけで展設できるもので、桟体を丈夫で軽量のアルミニウム等の軽金属で作製すると５ｍ×１．５ｍ程度の大型の展示用パネルであっても一人で組立、展示、又は、収納、移動が容易にできるもので、更に、上下の桟体の全長にわたって摺動用凹溝を形成していることで、摺動用凹溝の任意位置に摺動可能に吊り下げ用具、又は、展示用具の基部を内装させたことにより、高所からの吊り下げ、又は、展示物の展示を自在とするもので、画期的で極めて実用性の高い発明である。
【発明を実施するための最良の形態】
【０００９】
以下、本発明の大型展示用パネルの実施例の図面を用いて詳細に説明すると、図１は本発明の大型展示用パネルの実施例の概要を説明するための概要正面図であり、図２は本発明の大型展示用パネルの実施例の要部を説明するための（Ａ）は拡大平面図（Ｂ）は拡大正面図であり、図３は本発明の大型展示用パネルの実施例の要部断面図であり、図４は本発明の大型展示用パネルの吊り下げ用具を説明する断面説明図であり、図５は本発明の大型展示用パネルの展示用具を説明する断面説明図である。
【００１０】
本発明は大型の展示用パネルに関するものであり、更に、詳細には、ヒンジ部を介して接続されつづら折り可能な複数組の展示用パネルを容易に組立、展示、又は、折り畳み移動、収納できる大型展示用パネルに関するものであり、請求項１に記載の大型展示用パネルは、夫々４本の桟体２で矩形状に組設された複数組のパネル枠体１を夫々ヒンジ部３を介装してつづら折り可能に接続した大型の展示用パネルであって、前記夫々のヒンジ部３の枢動軸と直交した夫々の相対する桟体２の外側辺の長手方向の全長にわたって両側の内側に鍔辺４ａを突出させた摺動用凹溝４を夫々形成し、該摺動用凹溝４に摺動自在に摺動杆５を内装すると共に、展開状態の複数組のパネル枠体１の隣り合う桟体２の夫々の前記摺動用凹溝４に前記摺動杆５を位置させて固定することを特徴とするものである。
【００１１】
更に、請求項２に記載の大型展示用パネルは、請求項１に記載の大型展示用パネルにおいて、前記桟体２の摺動用凹溝４に摺動可能に吊り下げ用具６の基部６ａを内装させ、該基部６ａに延設したフック部６ｂを摺動用凹溝４の開口から突出させたものである。
【００１２】
更には、請求項３に記載の大型展示用パネルは、請求項１又は請求項２に記載の大型展示用パネルにおいて、前記桟体２の摺動用凹溝４に摺動可能に展示用具７の基部７ａを内装させ、該基部７ａに延設した展示用クリップ部７ｂを摺動用凹溝４の開口から突出させたことを特徴とするものである。
【実施例】
【００１３】
即ち、本発明の大型展示用パネルのパネル枠体１は、一般的には長さの相違する２対、４本の桟体２で矩形状に組設されたもので、同サイズの複数組のパネル枠体１を備えるものである。
【００１４】
そして、夫々のパネル枠体１は側方にヒンジ部３を介装しており、つづら折りの状態でコンパクトにでき、ヒンジ部３を枢動することにより横方向に長く展開した大型の展示用パネルに成るものである。
【００１５】
次に、ヒンジ部３の枢動軸と直交した夫々の相対する桟体２、つまり、上下に位置する桟体２は、図３に図示する如く、夫々の外側辺の長手方向の全長にわたって摺動用凹溝４を夫々形成し、該摺動用凹溝４の開口の両側の内側に鍔辺４ａを突出させているものである。
【００１６】
次いで、摺動杆５は摺動用凹溝４に摺動自在に内装されるもので、固定手段は各種考慮でき、例えば、垂直方向に貫通した螺孔を螺設して、該螺孔に螺合させるボルトを備えたもので、ボルトをねじ込むことで先端が摺動用凹溝４の底面に当接して適宜位置で固定できるものや、摺動用凹溝４の底面に半球状の凹陥部を形成しておき、摺動杆５の底面に弾性を利して出没可能な突起物を前記凹陥部に嵌入させて固定できるもの等で構わないものである。
【００１７】
更に、摺動杆５を展開状態の複数組のパネル枠体１の隣り合う桟体２の摺動用凹溝４に跨って位置させて固定することにより、展開状態の大型の展示用パネルになるものである。
【００１８】
更には、吊り下げ用具６は桟体２の全長にわたって形成した摺動用凹溝４に基部６ａを摺動可能に内装させたものであり、基部６ａにフック部６ｂの基部を固定し摺動用凹溝４の開口から先端を突出させているものである。
【００１９】
従って、天井等の高所に吊り下げも容易にでき、更には、上下の桟体２に吊り下げ用具６を配設することにより、上下方向に大型の展示用パネルを数段に吊り下げ超大型の展示用パネルとすることも可能なものである。
【００２０】
加えて、展示用具７は桟体２の全長にわたって形成した摺動用凹溝４に基部７ａを摺動可能に内装させたものであり、基部７ａに弾性を利した展示用クリップ部７ｂを延設して任意の位置に展示物を展示させるものである。
【産業上の利用可能性】
【００２１】
本発明の大型展示用パネルは、取扱いが簡単で一人で容易に組立、展示、又は、収納、移動ができるもので、提示場所が頻繁に変わる大型の展示用パネルに好適なものである。
【図面の簡単な説明】
【００２２】
【図１】図１は本発明の大型展示用パネルの実施例の概要を説明するための概要正面図である。
【図２】図２は本発明の大型展示用パネルの実施例の要部を説明するための（Ａ）は拡大平面図（Ｂ）は拡大正面図である。
【図３】図３は本発明の大型展示用パネルの実施例の要部断面図である。
【図４】図４は本発明の大型展示用パネルの吊り下げ用具を説明する断面説明図である。
【図５】図５は本発明の大型展示用パネルの展示用具説明する断面説明図である。
【符号の説明】
【００２３】
１      パネル枠体
２      桟体
３      ヒンジ部
４      摺動用凹溝
４ａ    鍔辺
５      摺動杆
６      吊り下げ用具
６ａ    基部
６ｂ    フック部
７      展示用具
７ａ    基部
７ｂ    展示用クリップ部
【図１】
2007037754.tif 000003
【図２】
2007037754.tif 000004
【図３】
2007037754.tif 000005
【図４】
2007037754.tif 000006
【図５】
2007037754.tif 000007